(57)【要約】【課題】物品を乗せる棚を棚受に支持させたままで、棚受へ落下防止部材の昇降を案内させる案内部材を取り付けることがでる物品の落下防止構造を提供すること。【解決手段】物品１を収容する棚２に常時は物品１の出し入れを妨げないように上方に待機し、地震の発生時は、案内部材３に案内されて棚口４へ降下し、物品１を受け止める物品の落下防止部材５を、上方の待機位置に磁石６で保持させる物品の落下防止構造Ａであって、上記案内部材５は、上部に上記棚２を支持する棚受１２の先端部へ嵌合される嵌合孔１６を前後方向に設けられて、上記棚２の前部をその下側に棚受１２の先端部が覗く程度に上げると、上記嵌合孔１６を棚受１２の先端へ嵌合して案内部材３の取り付けを行うことができるようにしたことを特徴とする。【選択図】図１
2012232047.tif 000002
【特許請求の範囲】
【請求項１】
物品を収容する棚に常時は物品の出し入れを妨げないように上方に待機し、地震の発生時は、案内部材に案内されて棚口へ降下し、物品を受け止める物品の落下防止部材を、上方の待機位置に磁石で保持させる物品の落下防止構造であって、
上記案内部材は、上部に上記棚を支持する棚受の先端部へ嵌合される嵌合孔を前後方向に設けられて、
上記棚の前部をその下側に棚受の先端部が覗く程度に上げると、上記嵌合孔を棚受の先端へ嵌合して、案内部材の棚受への取り付けを行うことができるようにした
ことを特徴とする物品の落下防止構造。
【請求項２】
上記案内部材の上部に前後方向へ設けられる嵌合孔は、上片がほぼ水平をなし、下片は後下りに傾斜する斜面をなすように形成されている
ことを特徴とする請求項１に記載の物品の落下防止構造。
【請求項３】
物品を収容する棚に、常時は物品の出し入れを妨げないように上方に待機し、地震の発生時は、案内部材に案内されて棚口へ降下し、物品を受け止める物品の落下防止部材を、上方の待機位置に磁石で保持させる物品の落下防止構造であって、
上記案内部材は、落下防止部材の昇降を案内させる案内孔の巾を、案内部材の弾性変形で落下防止部材を係脱できるように加減し得るものである
ことを特徴とする物品の落下防止構造。
【請求項４】
上記案内部材が案内孔の一側と他側に曲げ抗力の差が生ずるように形成されて、必要とする落下防止部材の支持強度を得ながら、案内孔の変形は容易に行われるようにしものである
ことを特徴とする請求項３に記載の物品の落下防止構造。
【請求項５】
上記案内部材に形成された案内孔の巾が、子供の指が入らない寸法に形成されていることを特徴とする請求項３又は請求項４に記載の物品の落下防止構造。
【請求項６】
上記案内部材は、棚に収容された物品が該案内部材で隠されないように透明な合成樹脂で形成されている
ことを特徴とする請求項３〜請求項５のいずれかに記載の物品の落下防止構造。
【発明の詳細な説明】
【技術分野】
【０００１】
本発明は、地震の揺れで物品が棚から落下するのを防止させる物品の落下防止構造に関する。
【背景技術】
【０００２】
地震による棚からの物品の落下防止構造として、物品を収納する棚に、常時は物品の出し入れを妨げないように上方に待機し、地震が発生すると案内部材に案内されて棚口へ降下し、物品を受け止める物品の落下防止部材を、上方の待機位置に磁石で保持させる物品の落下防止構造であって、上記案内部材が棚の下側へ取り付けられるか、棚受と一体に形成されている構成のものは、特許文献１により知られている。
【０００３】
上記物品の落下防止構造は、落下防止部材の降下を案内させる案内部材を、棚の下側へ
取り付けるか、棚を支持させる棚受と一体に形成させるようにしたものであるから、使用
中の棚へ物品の落下防止構造を設置する場合、前者では棚上に乗せられた物品を降して、
棚を棚受から取り外し、取り外した棚の下側へビス止め等で案内部材を取り付けてから、
棚を棚受へ取り付け、降ろした物品を棚の上へ乗せなければならず、また、後者では棚上
に乗せられた物品を降して、棚受から棚を取り外し、棚支柱に取り付けられている通常の
棚受を、案内部材が一体形成された棚受と交換してから、交換した棚受の上へ棚を取り付
けて、棚の上へ降ろした物品を乗せなければならないので、案内部材の取り付けに多くの
手数と時間を要して、物品の落下防止構造を簡単に安価に設置することができない問題点
があった。
【先行技術文献】
【特許文献】
【０００４】
【特許文献１】特開２０１０−１９４１５７号公報
【発明の概要】
【発明が解決しようとする課題】
【０００５】
本発明が解決しようとする課題は、背景技術の物品の落下防止構造では、物品を乗せる棚を棚受に支持させたままで、棚受へ落下防止部材の昇降を案内させる案内部材を取り付けることができない点である。
【課題を解決するための手段】
【０００６】
前記課題を解決するため、請求項１に係る発明は、物品を収容する棚に、常時は物品の出し入れを妨げないように上方に待機し、地震の発生時は、案内部材に案内されて棚口へ降下し、物品を受け止める物品の落下防止部材を、上方の待機位置に磁石で保持させる物品の落下防止構造であって、上記案内部材は、上部に上記棚を支持する棚受の先端部へ嵌合される嵌合孔を前後方向に設けられて、上記棚の前部をその下側に棚受の先端部が覗く程度に上げると、上記嵌合孔を棚受の先端へ嵌合して案内部材の取り付けを行うことができるようにしたことを特徴とする。
【０００７】
請求項２に係る発明は、上記案内部材の上部に前後方向へ設けられる嵌合孔が、上片はほぼ水平をなし、下片は後下りに傾斜する斜面をなすように形成されていることを特徴とする。
【０００８】
請求項３に係る発明は、物品を収容する棚に、常時は物品の出し入れを妨げないように上方に待機し、地震の発生時は、案内部材に案内されて棚口へ降下し、物品を受け止める物品の落下防止部材を、上方の待機位置に磁石で保持させる物品の落下防止構造であって
、上記案内部材は、落下防止部材の昇降を案内させる案内孔の巾を、案内部材の弾性変形で落下防止部材の係脱ができるように加減し得るものであることを特徴とする。
【０００９】
請求項４に係る発明は、上記案内部材が案内孔の一側と他側に曲げ抗力の差が生ずるように形成されて、必要とする落下防止部材の支持強度を得ながら、案内孔の変形は容易に行われるようにしものであることを特徴とする。
【００１０】
請求項５に係る発明は、上記案内部材に形成される案内孔の巾が、幼児の指が入らない寸法に形成されていることを特徴とする。
【００１１】
請求項６に係る発明は、上記案内部材は、棚に収容された物品が案内部材で隠されないように透明な合成樹脂で形成されていることを特徴とする。
【発明の効果】
【００１２】
請求項１に係る発明の効果  上記案内部材が棚受の先端部へ嵌合させる嵌合孔を前後方向へ設けられるため、棚の前部をその下側に棚受の先端部が覗く程度に上げるだけで、上記嵌合孔を棚受の先端へ嵌合させて案内部材の取り付けを完了するから、背景技術で要した多くの手数と時間が削減されて、物品の落下防止構造を至って簡単に安価に設置することが可能となる。
【００１３】
請求項２に係る発明の効果  上記案内部材に形成される棚受の嵌合孔が、上片はほぼ水平をなし、下片は後下りに傾斜する斜面をなすように形成されるため、上片が水平で、下片が後下りの斜面をなすように形成されたものが多い市販棚の棚受へ、形状差があっても位置ずれやがたつきを生じにくく取り付けることが可能である。
【００１４】
請求項３に係る発明の効果  上記案内部材は、弾性変形で案内孔の巾を加減きるように形成されるから、案内孔の一側と他側に反対向きの力を加えれば、案内部材の弾性変形で案内孔の巾が広がって、落下防止部材の支持部を容易に係合させるが、係合後に力を除けば、案内部材が復元して案内孔の巾を元に戻し、上記支持部を離脱しないように支持するので、落下防止部材の案内孔への取り付けも即時に完了して、物品の落下防止構造を至って簡単に安価に設置するの効果がある。
【００１５】
請求項４に係る発明の効果  上記案内部材は、案内孔の一側と他側に曲げ抗力の差が生ずるように形成されると、曲げ抗力が小さい一方は、指先で容易に弾性変形されて、案内孔の巾を広がらせるため、落下防止部材の迅速な取付けができ、また、曲げ抗力が大きい他方は、落下防止部材に物品の荷重が付加されても、この荷重に耐えて変形しないため、物品の落下防止の機能が確実に果される。
【００１６】
請求項５に係る発明の効果  上記案内部材に形成される案内孔の巾を、幼児の指が入らない寸法に形成すれば、案内孔へ幼児が指を入れて怪我をする事故を防止することができる。
【００１７】
請求項６に係る発明の効果  上記案内部材を、透明の合成樹脂で形成すれば、案内部材に棚上の物品が隠される場合も、物品が透視されて品選びを妨げることがない。
【図面の簡単な説明】
【００１８】
【図１】本発明に係る物品の落下防止構造の実施形態を示す縦断側面図。
【図２】同上の物品の落下防止部材を磁石で待機位置に保持させた状態を示す一部分の拡大縦断正面図
【図３】（ａ）（ｂ）（ｃ）は、同上の案内部材の正面図と側面図及び側面図のＡ−Ａ線における断面図
【図４】同上の案内部材に設けられた案内孔の上部に、物品の落下防止部材の支持部が遊撃を存して支持された状態を示す説明図
【図５】（ａ）（ｂ）は、同上の案内部材に設けられた磁石の取付部の構造を示す縦断側面及び縦断正面図
【図６】（ａ）（ｂ）は、同上の物品の落下防止部材の一部を省略した正面図と案内孔に係合させる端部の拡大断面図
【図７】（ａ）（ｂ）（ｃ）は、同上案内部材を棚受へ取り付ける状態を示す説明図。
【図８】（ａ）（ｂ）（ｃ）は、同上の案内部材を弾性変形させて案内孔へ物品の落下防止部材の支持部を係合させる状態を示す説明図
【図９】同上の物品の落下防止部材を物品の出し入れが可能な位置に保持させた説明図
【図１０】同上の物品の落下防止部材を物品が受け止められる位置へ降下させた説明図
【発明を実施するための形態】
【００１９】
本発明は、磁石で物品の出し入れを妨げない位置に保持される物品の落下防止部材を、地震が発生すると、磁石から離れさせて物品の受止位置へ降下させ、物品の落下防止を確実に行わせる物品の落下防止構造であって、棚への設置が至って簡単且つ安価に行える物品の落下防止構造に関する。
【００２０】
図1、図２及び図９、図１０において符号Ａは、本発明に係る物品の落下防止構造を示すものであり、この物品の落下防止構造Ａは、物品１を収容する棚２に、常時は物品１の出し入れを妨げないように上方に待機し、地震が発生すると案内部材３に案内されて棚口４へ降下して、物品２を受け止める物品の落下防止部材５を、上方の待機位置に磁石６で保持させる構成のものであり、上記磁石６は、図２に示す通り、小面積のもので周囲に外上りに傾斜する斜面の離脱部７を周設されており、上記物品の落下防止部材５は、図２に示す通り、両端に設けられた支持部８を、上記案内部材３が棚２の下部から棚口４の中間部まで形成される案内孔９へ、前後、上下、左右の遊動が可能となるように支持されて、上記磁石６に対応する部分には、山形の頂部１０ａで磁石６へ接する着磁部１０を設けられている。
【００２１】
上記棚２は、図８、図９に示す通り、一対の棚支柱１１、１１へ点線で示す通り所定の間隔で取り付けられる棚受１２、１２に支持させて、各棚２へ物品１を収納して置くものであり、棚２の周囲には物品が落ちないように図１に示す通り縁柵１３を設けるが、この縁柵１３では地震の揺れによる物品1の落下を防止することはできないので、これを防止する対策を施す必要がある。
【００２２】
上記棚２へ取り付けて物品１の落下防止部材５を支持させる案内部材３は、図１に示す通り、棚２の下部から棚口４の高さの中程へ達する長さを有して、巾方向の中央部に上記案内孔９を、上側の一部分を除いて幼児の指が入らない巾寸法となるように形成されて、この案内孔９の下端には、逆７の字形をなすことで、地震により一旦降下した落下防止部材５が、後の揺れで上方へ戻らないようにする逆止部１４を連設されている。
【００２３】
また、上記案内部材３は、上部に図３（ａ）（ｂ）に示す通り、棚受１２への取付部１５を設けられて、この取付部１５には棚受１２の前端部へ嵌合する嵌合孔１６を前後方向に開けられるもので、この嵌合孔１６は、図７（ａ）（ｂ）に示す通り、市販棚２の棚受１２が上辺１２ａは水平をなし、下辺１２ｂは後下りに傾斜する斜面をなすものが多いから、これら棚受１２に合わせて図３（ａ）（ｂ）の通り、上辺１５ａは略水平をなして、下辺１５ｂは後下りに傾斜する斜面をなす形状に形成されている。
【００２４】
更に、上記案内部材３は、上記棚受１２への取付部１５の内側に、図３（ａ）（ｂ）に示す通り、磁石６の取付部１７を設けられて、この取付部１７は、図５（ａ）（ｂ）に示す通り、中央部に小さい磁石６の嵌合孔１８を形成され、この嵌合孔１８の周囲には、外上りに傾斜する斜面の上記離脱部７を周設されて、上記嵌合孔１８の上部中央には補強凸条１９を左右の方向に設けられる。そして、嵌合孔１９の周壁には接着剤を溜らせる接着剤溝２０を上下の方向に複数箇所設けられ、嵌合孔１８へ接着剤を付けた磁石６を嵌合するとき、補強凸条１９の両側に嵌合孔１８の一部分が開口して、嵌合孔１８の内部に存在した空気を外部へ放出するため、磁石６が接着不良を起こすことがないようにする。
【００２５】
なお、上記案内部材３は、図３（ａ）（ｂ）（ｃ）に示す通り、前側３ａと後側３ｂの周縁部に、補強縁２１、２１´を、前側３ａのものは高く立ち上り、後側３ｂのものは僅かな立ち上りとなるように形成されて、案内部材３を案内孔９よりも後側３ｂは弾性変形し易くて、前側３ａは弾性変形し難くし、案内部材３を図８（ａ）（ｂ）（ｃ）に示す通りに指先で弾性変形させると、前側３ａは殆ど変形しないが、後側３ｂが容易に大きく変形して、案内孔９の巾を広がらせるように弾性に優れた材料で形成するもので、材料としては合成樹脂を用いると、案内部材３を透明に形成して、案内部材３が物品の視認の障害とならないようにすることができて好ましい。しかし、金属の弾性材料を用いて形成しても差し支えない。
【００２６】
上記案内部材３に設けられた案内孔９に支持される物品の落下防止部材５は、図９、図１０図に示す通り、棚２の前方の開口、即ち棚口４を横切るように配置するもであって、棒状体の両端に図２、図６（ｂ）に示す通り、上記磁石６に吸着される着磁部１０と、端鍔２２との間に上記案内孔９へ係合させる支持部８が形成されるように磁性材のパイプを絞り加工して形成すると、軽量で安価な製品が得られて好ましいが、磁性材の棒を削り加工することで形成しても良いし、合成樹脂製の棒材に磁性材の着磁部１０を取り付ける構造に形成しても差し支えない。
【００２７】
上記物品の落下防止部材５に形成される支持部８は、案内部材３に対して上下、前後、左右の何れの方向へも遊動できなければならないから、上記支持部８と案内孔９の上端部との間には、図３に示す通り上下の遊隙２３ａ、２３ｂと、前後の遊隙２４ａ、２４ｂが存在し、上記支持部８とその両側に位置する着磁部１０と端鍔２２との間には、図２に示す通り左右の遊隙２５ａ、２５ｂが存在するようにする。
【００２８】
上記構成の物品の落下防止構造Ａは、棚２を図７（ａ）に示す通り棚受１２の先端が前側から見える程度に上げて、図７（ｂ）に通り棚受１２の先端部へ、案内部材３の取付部１５に開けられた嵌合孔１６を、矢印のように嵌合して案内部材３を棚受２へ取り付けた後、図７（ｃ）に示す通り棚２を下げて棚受１２に支持させれば、棚口４の両側には案内部材３、３が配置される。そこで、図８（ａ）に示す通り、棚口４において物品の落下防止部材５を手２６で握り、拇指２７を案内部材３の前側３ａに掛け、食指２８を後部３ｂに掛けて、案内部材３の前側３ａには拇指２７で押す力を、後側３ｂには食指２８で引く力をそれぞれ加えれば、案内部材３は図８（ｂ）に示す通り弾性変形して、案内孔９の巾を物品の落下防止部材５の端鍔２２が通るように広がらせるから、これに伴い、手に握った物品の落下防止部材５を案内孔９へ向かって繰り出し、端鍔２２が広がった案内孔９を通ったとき、図８（ｃ）に示す通り案内部材５から指を離せば、弾性変形した案内部材３が復元して、案内孔９の巾を落下防止部材５の支持部２３に近い元の寸法に戻らせ、落下防止部材５を案内孔９に係合させるから、この操作を他方の案内部材３でも行って、落下防止部材５が棚口４の中間部を横切るように位置付けされたら、落下防止部材５を案内孔９に沿って上方へ押し上げて、着磁部１０を磁石６に吸着させれば、１段の棚２に対する落下防止部材の設置を初心者でも1分以内の短時間で確実に行うことができる。
【００２９】
上記の通り、棚口４へ設置された落下防止部材５は、収納された物品１が棚２から落下する強さの地震が起ると、その揺れ方向が如何様であっても、落下防止部材５が案内部材３に上下、前後、左右へ遊動可能に支持されるため、落下防止部材５の磁石６に吸着保持される着磁部１０は、揺れ方向へ確実に動いて、揺れが上下方向の場合は、揺れで磁石６から離され、揺れが前後、左右やその中間方向の場合は、磁石６の周囲に周設される外上がりの斜面の離脱部７で磁石６から離れされるため、落下防止部材５は、揺れ方向には関係なく案内孔９の下端まで確実に降下して、棚口４の中間部において棚２に収納された物品１を受け止め、物品１を棚２上に安全に保持して落下させないので、落下による物品の破損と破損物品による危害の予防及び破損物品を後始末する労力の削減に大きな効果を上げ得る。
【産業上の利用可能性】
【００３０】
本発明に係る物品の落下防止構造は、棚に物品を陳列して販売する店舗等で地震が発生しても、物品を棚から落下させずに棚上に保持させるのに利用できる。
【符号の説明】
【００３１】
Ａ  物品の落下防止構造
１  物品
２  棚
３  案内部材
４  棚口
５  物品の落下防止部材
６  磁石
９  案内孔
１２  棚受
１６  嵌合孔
【図１】
2012232047.tif 000003
【図２】
2012232047.tif 000004
【図３】
2012232047.tif 000005
【図４】
2012232047.tif 000006
【図５】
2012232047.tif 000007
【図６】
2012232047.tif 000008
【図７】
2012232047.tif 000009
【図８】
2012232047.tif 000010
【図９】
2012232047.tif 000011
【図１０】
2012232047.tif 000012